(57)【要約】【課題】  顔検出機能による検出結果を画像データの現像処理に生かしつつ、現像パラメータの設定方法の自由度を向上させること。【解決手段】  被写体を撮影して得られた画像信号に基づいて、該画像信号が表す画像内における顔の領域を検出する顔検出機能を有する撮像装置において、前記顔検出機能による検出結果を用いて画像信号を現像処理するための現像パラメータを決定するモードＡと、前記顔検出機能による検出結果を用いずに前記現像パラメータを決定するモードＢのいずれかのモードを設定し（Ｓ１０２、Ｓ１０３）、画像信号を取得し（Ｓ１０６）、前記取得した画像信号に基づいて、顔の領域を検出し（Ｓ１０７）、前記設定されたモードに応じて、前記現像パラメータを決定し（Ｓ１０９、Ｓ１１２、Ｓ１１３）、前記取得した画像信号に対して、前記決定された現像パラメータを用いて現像処理を行う（Ｓ１１４）。【選択図】  図１
2008177873.tif 000002
【特許請求の範囲】
【請求項１】
被写体の光学像を電気的な画像信号に変換して出力する撮像手段と、
前記撮像手段から出力された画像信号に対して、現像パラメータを用いた現像処理を行う画像処理手段と、
前記現像パラメータを決定する決定手段と、
前記撮像手段から出力された画像信号に基づいて、該画像信号が表す画像内における顔の領域を検出する顔検出手段と、
前記顔検出手段による検出結果を用いて前記現像パラメータを決定する第１のモードと、前記顔検出手段による検出結果を用いずに前記現像パラメータを決定する第２のモードのいずれかのモードを設定する設定手段とを有し、
前記決定手段は、前記設定手段により設定されたモードに応じて、前記現像パラメータを決定することを特徴とする撮像装置。
【請求項２】
前記顔検出手段は、顔の有無の検出及び、顔を検出した場合にはその大きさの検出を行い、
前記決定手段は、前記第１のモードが設定されている場合に、顔が検出されていれば、前記検出された顔の大きさに基づいて、予め設定された複数の現像パラメータの内の１つを選択することを特徴とする請求項１に記載の撮像装置。
【請求項３】
前記決定手段は、前記第１のモードが設定されている場合に、前記検出された顔の大きさが予め決められた大きさよりも大きければ、前記予め決められた大きさよりも小さい場合よりもシャープさを増す現像パラメータを前記複数の現像パラメータの中から選択することを特徴とする請求項２に記載の撮像装置。
【請求項４】
前記決定手段は、前記第２のモードが設定されている場合、及び、前記第１のモードが設定され且つ顔が検出されなかった場合に、予め設定された値を前記現像パラメータとして決定することを特徴とする請求項１乃至３のいずれか１項に記載の撮像装置。
【請求項５】
前記顔検出手段は、顔の有無の検出及び、顔を検出した場合にはその大きさの検出を行い、
前記決定手段は、前記第１のモードが設定されている場合に、顔が検出されていれば、前記検出された顔の大きさに基づいて、現在設定されている現像パラメータの値を予め設定された大きさ分変更した値を、新しい現像パラメータとして決定することを特徴とする請求項１に記載の撮像装置。
【請求項６】
前記決定手段は、前記第１のモードが設定されている場合に、前記検出された顔の大きさが予め決められた大きさよりも大きければ、前記予め決められた大きさよりも小さい場合よりもよりシャープさを増すように前記現像パラメータを変更することを特徴とする請求項５に記載の撮像装置。
【請求項７】
前記決定手段は、前記第２のモードが設定されている場合に、現在設定されている現像パラメータを変更しないことを特徴とする請求項１、５、６のいずれか１項に記載の撮像装置。
【請求項８】
被写体を撮影して得られた画像信号に基づいて、該画像信号が表す画像内における顔の領域を検出する顔検出機能を有する撮像装置における画像処理方法であって、
前記顔検出機能による検出結果を用いて画像信号を現像処理するための現像パラメータを決定する第１のモードと、前記顔検出機能による検出結果を用いずに前記現像パラメータを決定する第２のモードのいずれかのモードを設定する設定工程と、
画像信号を取得する取得工程と、
前記取得した画像信号に基づいて、顔の領域を検出する顔検出工程と、
前記設定工程で設定されたモードに応じて、前記現像パラメータを決定する決定工程と
前記取得した画像信号に対して、前記決定された現像パラメータを用いて現像処理を行う画像処理工程と
を有することを特徴とする画像処理方法。
【請求項９】
前記顔検出工程では、顔の有無の検出及び、顔を検出した場合にはその大きさの検出を行い、
前記決定工程では、前記第１のモードが設定されている場合に、顔が検出されていれば、前記検出された顔の大きさに基づいて、予め設定された複数の現像パラメータの内の１つを選択することを特徴とする請求項８に記載の画像処理方法。
【請求項１０】
前記決定工程では、前記第１のモードが設定されている場合に、前記検出された顔の大きさが予め決められた大きさよりも大きければ、前記予め決められた大きさよりも小さい場合よりもシャープさを増す現像パラメータを前記複数の現像パラメータの中から選択することを特徴とする請求項９に記載の画像処理方法。
【請求項１１】
前記決定工程では、前記第２のモードが設定されている場合、及び、前記第１のモードが設定され且つ顔が検出されなかった場合に、予め設定された値を前記現像パラメータとして決定することを特徴とする請求項８乃至１０のいずれか１項に記載の画像処理方法。
【請求項１２】
前記顔検出工程では、顔の有無の検出及び、顔を検出した場合にはその大きさの検出を行い、
前記決定工程では、前記第１のモードが設定されている場合に、顔が検出されていれば、前記検出された顔の大きさに基づいて、現在設定されている現像パラメータの値を予め設定された大きさ分変更した値を、新しい現像パラメータとして決定することを特徴とする請求項８に記載の画像処理方法。
【請求項１３】
前記決定工程では、前記第１のモードが設定されている場合に、前記検出された顔の大きさが予め決められた大きさよりも大きければ、前記予め決められた大きさよりも小さい場合よりもよりシャープさを増すように前記現像パラメータを変更することを特徴とする請求項１２に記載の画像処理方法。
【請求項１４】
前記決定工程では、前記第２のモードが設定されている場合、及び、前記第１のモードが設定され且つ顔が検出されなかった場合に、現在設定されている現像パラメータを変更しないことを特徴とする請求項８、１２、１３のいずれか１項に記載の画像処理方法。
【発明の詳細な説明】
【技術分野】
【０００１】
本発明は、撮像装置及び画像処理方法に関し、更に詳しくは、被写体画像中の顔の存在およびその大きさを検出できる顔検出機能を有するデジタルカメラなどの撮像装置及び画像処理方法に関するものである。
【背景技術】
【０００２】
近年、デジタルカメラシステムなどの撮像装置において、顔検出機能を有するものがある。顔検出機能は、撮影画像を分析して画像中に人間の顔があるか否か、また、ある場合には画像上の顔の位置及び大きさを検出する機能である。この機能を利用して、例えば自動的に検出した顔が適正な露出になるように、露出制御を行うカメラが提案されている（例えば、特許文献１参照）。このカメラでは、画面全体の輝度が適正でも、顔がアンダーな場合は画面全体を明るくし、顔がオーバーな場合は画面全体を暗くする（例えば、特許文献１参照）。このように、どのようなシーンにおいても、顔の輝度が適正になるように撮影を行うことができる。他にも、顔検出機能の検出結果の活用方法としては、例えば、オートフォーカスを行う際のフォーカス位置選択への利用等が考えられ、現実に実施されている（例えば、特許文献２参照）。
【０００３】
ここで顔検出機能を備えた撮像装置として、デジタルカメラの一例を図５と図６を参照して説明する。
【０００４】
図５は顔検出機能を備えたデジタルカメラのブロック図である。図５において、１は撮像レンズであり、便宜上１枚のレンズにより表しているが、実際にはフォーカスレンズ等を含む複数のレンズから構成されている。２は撮像レンズ１を制御してオートフォーカス駆動を行うＡＦ駆動部、３は絞り、４は自動露出を行うために絞り３を駆動する絞り駆動部である。５は撮像レンズ１および絞り３を通過した被写体像を撮像する、ＣＣＤやＣＭＯＳセンサ等から成る撮像素子、６は撮像素子５から出力される画像信号をデジタル画像信号に変換するＡ／Ｄ変換器である。
【０００５】
７はＡ／Ｄ変換器６で変換されたデジタル画像信号に対して、現像や圧縮等の処理を施し、所定フォーマットの画像データに変換する画像信号処理部である。なお、現像処理としては、例えば、シャープネス処理、ガンマ補正処理、ホワイトバランス補正処理、あるいは、色補正処理を含む。８は画像信号処理部７内にあり、撮影画像を分析して、画像中に人間の顔があるか否か、また、ある場合には画像上の顔の位置及び大きさを検出する顔検出回路である。
【０００６】
９は撮影画像を確認するために画像の再生を行ったり、各種モードの設定を行ったりするための液晶表示部、１０は液晶表示部９を制御する液晶表示制御部である。１１は画像データを保存するためのメモリ、１２はメモリ１１へのデータ保存やメモリ１１からのデータ読み出しを制御するメモリ制御部、１３はメモリ１１に画像データを保存する前に一時的に画像データを保存するためのバッファメモリである。１４はユーザーの操作やカメラ内の設定に従って、ＡＦ駆動部２、絞り駆動部４、画像信号処理部７を制御するマイクロコンピュータ、１５はレリーズスイッチ（ＳＷ）、１６はレリーズＳＷ以外の各種モード設定を行うための設定スイッチ（ＳＷ）である。１７はカメラ各部に電力を供給する電源である。
【０００７】
次に、上記構成を有するデジタルカメラにおける一連のレリーズシーケンスを図６のフローチャートを参照して説明する。図６において、まずカメラのレリーズＳＷ１５がＯＮされているかどうかを判断し（ステップＳ６０１）、ＯＮされていなければステップＳ６０１を繰り返す。レリーズＳＷ１５がＯＮされていれば、まず顔検出を行うために一回撮像処理（プレ撮影）を行い（ステップＳ６０２）、この撮影により取得した画像を元にして顔検出回路８により顔検出処理を行う（ステップＳ６０３）。このステップＳ６０３における顔検出処理の結果に応じて、オートフォーカス処理（ＡＦ）および自動露出制御（ＡＥ）を行い（ステップＳ６０４）、ステップＳ６０５で本撮影処理を実施する。本撮影により得られた画像信号に対して画像信号処理部７により予め決められた現像パラメータを用いて現像処理を行い（ステップＳ６０６）、得られた画像データをメモリ１１に保存する（ステップＳ６０７）。そして、レリーズＳＷ１５がＯＦＦされるのを待って（ステップＳ６０８）、シーケンスを終了する。なお、現像パラメータは、例えばシャープネス処理、ガンマ補正処理、ホワイトバランス補正処理、および、色補正処理の少なくともいずれかを含む等の現像処理に用いるパラメータであり、例えば、ＹＵＶのそれぞれに応じた値が用いられる。なお、Ｙは輝度値、ＵとＶはそれぞれ色差値を示す。
【０００８】
【特許文献１】特開２００３−１０７５５５号公報
【特許文献２】特開２００３−１０７３３５号公報
【発明の開示】
【発明が解決しようとする課題】
【０００９】
上記従来例では、画像を現像処理するときに用いる現像パラメータは予め決められた値であり、撮影した被写体によっては現像パラメータが適正でない場合もあった。しかしながら、撮影する毎に現像パラメータを設定し直すと、撮影チャンスを逃してしまうことがある。
【課題を解決するための手段】
【００１０】
上記問題点を解決するために、本発明の撮像装置は、被写体の光学像を電気的な画像信号に変換して出力する撮像手段と、前記撮像手段から出力された画像信号に対して、現像パラメータを用いた現像処理を行う画像処理手段と、前記現像パラメータを決定する決定手段と、前記撮像手段から出力された画像信号に基づいて、該画像信号が表す画像内における顔の領域を検出する顔検出手段と、前記顔検出手段による検出結果を用いて前記現像パラメータを決定する第１のモードと、前記顔検出手段による検出結果を用いずに前記現像パラメータを決定する第２のモードのいずれかのモードを設定する設定手段とを有し、前記決定手段は、前記設定手段により設定されたモードに応じて、前記現像パラメータを決定する。
【００１１】
また、被写体を撮影して得られた画像信号に基づいて、該画像信号が表す画像内における顔の領域を検出する顔検出機能を有する撮像装置における本発明の画像処理方法は、前記顔検出機能による検出結果を用いて画像信号を現像処理するための現像パラメータを決定する第１のモードと、前記顔検出機能による検出結果を用いずに前記現像パラメータを決定する第２のモードのいずれかのモードを設定する設定工程と、画像信号を取得する取得工程と、前記画像信号に基づいて、顔の領域を検出する顔検出工程と、前記設定工程で設定されたモードに応じて、前記現像パラメータを決定する決定工程と前記取得した画像信号に対して、前記決定された現像パラメータを用いて現像処理を行う画像処理工程とを有する。
【発明の効果】
【００１２】
本発明によれば、顔検出機能による検出結果を画像データの現像処理に生かしつつ、現像パラメータの設定方法の自由度を向上させることができる。
【発明を実施するための最良の形態】
【００１３】
以下、添付図面を参照して本発明を実施するための最良の形態を詳細に説明する。
【００１４】
＜第１の実施形態＞
図１は、本発明の第１の実施形態における撮像装置の処理を示すフローチャートである。なお本第１の実施形態のデジタルカメラなどの撮像装置は、図５を参照して上述したものと同様の構成のものを用いるものとし、ここでは説明を省略する。
【００１５】
本第１の実施形態では、撮像装置は、画像信号処理部７で使用する現像パラメータを選択されたモードに応じて変更する。モードとしては、以下の２種類のモードを想定する。１つは、顔検出回路８により検出された顔の有無及び、顔が検出された場合にその大きさに応じて撮影画像の現像パラメータを自動的に決定するモードＡである。もう１つは、顔検出回路８による検出結果に関わらず撮影画像の現像パラメータを予め決められた値に設定するモードＢの２種類を想定する。
【００１６】
図１において、不図示の電源ＯＮ／ＯＦＦスイッチによりカメラの電源がＯＮされると、上述したモードの設定を含めたカメラの初期化を行う（ステップＳ１０１）。
【００１７】
次に、モードＡ／モードＢ間のモード変更を行うかどうかを確認する（ステップＳ１０２）。そして、モード変更を行うならば、液晶表示部９にモード変更画面を表示し、設定スイッチ１６を用いてモードＡもしくはモードＢの選択を行う（ステップＳ１０３）。このように、モード設定は、液晶表示部９と設定スイッチ１６を組み合わせ、これらを制御することにより行うことができる。なお、モード変更を行うかどうかの確認は、トグルスイッチによる設定モード突入や、プッシュスイッチの選択による設定モード突入等、どのような設定方法でも構わない。また、図２（ａ）および図２（ｂ）は、ステップＳ１０３においてモード変更する場合のモード変更画面の一例を示す図である。図２（ａ）はモードＡを選択している時の画面、図２（ｂ）はモードＢを選択している時の画面を示している。
【００１８】
一方、ステップＳ１０２でモード変更をしない場合には、カメラのレリーズＳＷ１５がＯＮされているかどうかを判断し（ステップＳ１０４）、ＯＮされていなければステップＳ１０２に戻って上記処理を繰り返す。ステップＳ１０４でレリーズＳＷ１５がＯＮされていると判断されると、オートフォーカス処理（ＡＦ）および自動露出制御（ＡＥ）を行う（ステップＳ１０５）。なお、本第１の実施形態では、顔検出回路８による検出結果の反映は現像パラメータに対してのみ行い、ＡＦおよびＡＥには反映させないものとする。この場合、従来例の様にＡＦ及びＡＥの前に顔検出を行う必要が無いため、プレ撮影処理も行わない。勿論、本発明はこれに限るものではなく、従来例のように顔検出結果をＡＦ及びＡＥに用いるように構成しても良いことは言うまでもない。
【００１９】
次に撮影処理を行い（ステップＳ１０６）、顔検出回路８は得られた画像を元にして顔検出処理を行う（ステップＳ１０７）。次に、モードＡが設定されているかどうかを確認する（ステップＳ１０８）。モードＡでなければ（すなわちモードＢならば）、予め決められた現像パラメータ（ここでは「現像パラメータ１」とする）を選択し（ステップＳ１０９）、選択した現像パラメータ１を用いて現像処理を行う（ステップＳ１１４）。そして現像処理した画像データをメモリ１１に保存し（ステップＳ１１５）、レリーズＳＷ１５がＯＦＦされるのを待って（ステップＳ１１６）、処理を終了し、ステップＳ１０２に戻る。
【００２０】
一方、ステップＳ１０８でモードＡが設定されていると判断されると、ステップＳ１０７で行われた顔検出処理の結果に基づいて、画像内に顔があるかどうかを確認する（ステップＳ１１０）。顔が無ければステップＳ１０９に進んで現像パラメータ１を選択し、上述した処理と同様の処理を行う。
【００２１】
また、画像内に顔があれば（ステップＳ１１０でＹＥＳ）、その大きさ（例えば平均径）が所定値Ｋよりも大きいかどうか判断する（ステップＳ１１１）。なお、所定値Ｋは画面を拡大しないと誰の顔か判別できないような大きさとする。また、画面内に顔が複数ある場合は、最も大きい顔を所定値Ｋと比較する。
【００２２】
所定値Ｋよりも大きければ、現像パラメータ２を選択し（ステップＳ１１２）、選択した現像パラメータ２を用いて現像処理を行う（ステップＳ１１４）。一方、所定値Ｋよりも大きくなければ、現像パラメータ３を選択し（ステップＳ１１３）、選択した現像パラメータ３を用いて現像処理を行う（ステップＳ１１４）。
【００２３】
なお、現像パラメータ１、２、３は、ここでは特に値を限定するものではなく、適宜任意の値を設定しておけばよい。例えば、現像パラメータ１は、顔の有無によらず現像処理を行う場合、または顔以外の被写体が写っている画像の処理に適した値とし、現像パラメータ２は画像に占める顔の面積が少ない場合に適した値とする。また、現像パラメータ３は、画像に占める顔の面積が多い場合に適した値とする。
【００２４】
本第１の実施形態では、現像パラメータ１、２、３は、現像パラメータ１よりも現像パラメータ２を用いた方が、また現像パラメータ２よりも現像パラメータ３を用いた方が、よりシャープな画像になるように現像できる値であるものとする。あるいは、現像パラメータ１、２、３がホワイトバランス補正処理や色補正処理等に関するものであれば、現像パラメータ１は画像中心位置に近い信号の影響を大きく受けて設定された値であるものであるとする。現像パラメータ２、３は顔の占める領域から得られる信号の影響を大きく受けて設定された値であるものとする。なお、顔の占める領域の大きな現像パラメータ２のほうが現像パラメータ３よりも顔の占める領域から得られる信号の影響を大きく受けるものとする。
【００２５】
ステップＳ１１４で現像処理を終了すると、現像した画像データをメモリ１１に保存し（ステップＳ１１５）、レリーズＳＷ１５がＯＦＦされるのを待って（ステップＳ１１６）、処理を終了し、ステップＳ１０２に戻る。
【００２６】
このように本第１の実施形態によれば、顔検出回路８の検出結果に関わらず撮影画像の現像パラメータとして、予め決められた値を用いるモードと、顔検出回路８による顔検出処理の結果に応じて撮影画像の現像パラメータを自動的に決定するモードとを備える。これにより、より適正な現像パラメータを用いて現像することができると共に、撮像処理時間を短縮することが可能なデジタルカメラを提供することができる。
【００２７】
＜第２の実施形態＞
上記第１の実施形態では、顔の有無およびその大きさに応じて現像パラメータを予め設定された値の内の１つに自動的に設定する場合について説明した。これに対し、本第２の実施形態では、顔の有無及びその大きさに応じて、現像パラメータを撮影前に設定されていた値から自動的に一定量シフトさせる場合について説明する。図３は、本発明の第２の実施形態における撮像装置の処理を示すフローチャートである。なお本第２の実施形態のデジタルカメラなどの撮像装置も図５を参照して上述したものと同様の構成のものを用いるものとし、ここでは説明を省略する。
【００２８】
本第２の実施形態では、上記第１の実施形態と同様に、撮像装置は、画像信号処理部７で使用する現像パラメータを選択されたモードに応じて変更する。ただし、本第２の実施形態のモードとしては、以下の２種類のモードを想定する。１つは、顔検出回路８により検出された顔の有無及び、顔が検出された場合にその大きさに応じて撮影画像の現像パラメータを撮影前に設定されていた値から自動的に一定量シフトさせるモードＡである。もう１つは、顔検出回路８による検出結果に関わらず撮影画像の現像パラメータを予め決められた値に設定するモードＢである。
【００２９】
図３において、不図示の電源ＯＮ／ＯＦＦスイッチによりカメラの電源がＯＮされると、上述したモードの設定および現像パラメータを含めたカメラの初期化を行う（ステップＳ２０１）。この初期化処理では、現像パラメータとして、現像パラメータ１、２、３のいずれかを設定できる。なお、本第２の実施形態では、現像パラメータ１、２、３は、現像パラメータ１よりも現像パラメータ２を用いた方が、また現像パラメータ２よりも現像パラメータ３を用いた方が、よりシャープな画像になるように現像できる値であるものとする。図４は、現像パラメータを設定するための設定画面の一例を示す図である。このような設定画面を液晶表示部９に表示し、設定スイッチ１６を用いて選択することにより現像パラメータを選択する。図４（ａ）はパラメータ１を選択している時の画面、図４（ｂ）はパラメータ２を選択している時の画面を示している。
【００３０】
次に、モードＡ／モードＢ間のモード変更を行うかどうかを確認する（ステップＳ２０２）。そして、モード変更を行うならば、液晶表示部９に図２に示すようなモード変更画面を表示し、設定スイッチ１６を用いて、モードＡもしくはモードＢの選択を行う（ステップＳ２０３）。このように、モード設定は、液晶表示部９と設定スイッチ１６を組み合わせ、これらを制御することにより行うことができる。
【００３１】
ステップＳ２０２でモード変更の有無を確認した後、現像パラメータの変更を行うかどうかを確認し（ステップＳ２０４）、変更するならば、図４に示すような現像パラメータ変更画面で、現像パラメータの任意選択を行う（ステップＳ２０５）。なお、現像パラメータ変更を行うかどうかの確認は、トグルスイッチによる設定モード突入や、プッシュスイッチの選択による設定モード突入等、どのような設定方法でも構わない。
【００３２】
ステップＳ２０４で現像パラメータの変更有無の確認を行った後、変更しなければ、カメラのレリーズＳＷ１５がＯＮされているかどうかを判断し（ステップＳ２０６）、ＯＮされていなければステップＳ２０２に戻って上記処理を繰り返す。ステップＳ２０６でＯＮされていれば、まずＡＦおよびＡＥを行う（ステップＳ２０７）。なお、本第２の実施形態においても第１の実施形態と同様に、顔検出回路８による検出結果の反映は現像パラメータに対してのみ行うものとし、ＡＦおよびＡＥには反映させないのとする。この場合、従来例の様にＡＦおよびＡＥの前に顔検出を行う必要が無いため、プレ撮影処理も行わない。勿論、本発明はこれに限るものではなく、従来例のように顔検出結果をＡＦ及びＡＥに用いるように構成しても良いことは言うまでもない。
【００３３】
次に撮影処理を行い（ステップＳ２０８）、顔検出回路８は得られた画像を元にして顔検出処理を行う（ステップＳ２０９）。次に、モードＡが設定されているかどうかを確認する（ステップＳ２１０）。モードＡでなければ（すなわちモードＢならば）、現在設定されている現像パラメータを用いて現像処理を行う（ステップＳ２１５）。そして、現像処理した画像データをメモリ１１に保存し（ステップＳ２１６）、レリーズＳＷ１５がＯＦＦされるのを待って（ステップＳ２１７）、処理を終了し、ステップＳ２０２に戻る。
【００３４】
一方、ステップＳ２１０でモードＡが設定されていると判断されると、ステップＳ２０９で行われた顔検出結果に基づいて、画像内に顔があるかどうかを確認する（ステップＳ２１１）。顔が無ければ、ステップＳ２１５に進んで上述した処理を行う。
【００３５】
また、画像内に顔があれば（ステップＳ２１１でＹＥＳ）、その大きさ（例えば平均径）が所定値Ｋよりも大きいかどうか判断する（ステップＳ２１２）。なお、第１の実施形態と同様に、所定値Ｋは画面を拡大しないと誰の顔か判別できないような大きさとする。また、画面内に顔が複数ある場合は、最も大きい顔を所定値Ｋと比較する。
【００３６】
所定値Ｋよりも大きければ、現像パラメータをその時の設定値よりも１段階高い値（よりシャープな画像にする設定値）に変更してから（ステップＳ２１３）現像処理を行う（ステップＳ２１４）。その後、現像パラメータを元の値に戻して（ステップＳ２１５）、画像データをメモリ１１に保存する（ステップＳ２１９）。ここで元々の現像パラメータが３であった場合、さらに１段階高い値４は使用者には任意で設定できない値とする。一方、所定値Ｋよりも大きくなければ、現像パラメータをその時の設定値よりも２段階高い値に変更してから（ステップＳ２１６）現像処理を行う（ステップＳ２１７）。その後、現像パラメータを元の値に戻して（ステップＳ２１８）画像データをメモリ１１に保存する（ステップＳ２１９）。ここで元々の現像パラメータが２もしくは３であった場合、さらに２段階高い値４もしくは５は使用者には任意で設定できない値とする。
【００３７】
ステップＳ２１９で画像データを保存した後、レリーズＳＷ１５がＯＦＦされるのを待って（ステップＳ２２０）処理を終了し、ステップＳ２０２に戻る。なお、本実施形態でも上記第１の実施形態と同様に、現像パラメータ１、２、３がホワイトバランス補正処理や色補正処理等に関するものであってもよい。
【００３８】
このように本第２の実施形態によれば、先ず、顔検出回路８の検出結果に関わらず撮影画像の現像パラメータとして、現在用いられている値を用いるモードを有する。また、顔検出回路８による顔検出処理の結果に応じて、現在用いられている現像パラメータから自動的に所定段階ずつシフトさせるモードとを備える。これにより、上記第１の実施形態と同様に、より適正な現像パラメータを用いて現像することができると共に、撮像処理時間を短縮することが可能なデジタルカメラを提供することができる。
【図面の簡単な説明】
【００３９】
【図１】本発明の第１の実施形態における処理を示すフローチャートである。
【図２】本発明の第１の実施形態における設定画面の一例を示す図である。
【図３】本発明の第２の実施形態における処理を示すフローチャートである。
【図４】本発明の第２の実施形態における設定画面の一例を示す図である。
【図５】撮像装置の構成を示すブロック図である。
【図６】本発明の従来例における処理示すフローチャートである。
【符号の説明】
【００４０】
１：撮影レンズ、５：撮像素子、６：Ａ／Ｄ変換器、７：画像信号処理部、８：顔検出回路、９：液晶表示部、１０：表示制御部、１４：マイクロコンピュータ、１５：レリーズスイッチ
【図１】
2008177873.tif 000003
【図２】
2008177873.tif 000004
【図３】
2008177873.tif 000005
【図４】
2008177873.tif 000006
【図５】
2008177873.tif 000007
【図６】
2008177873.tif 000008